(57)【特許請求の範囲】
【請求項１】
建物の床に敷設した後に樹脂製の温水パイプを配管する、主に中・大規模の室用の床暖房パネルであって、
発泡樹脂からなり、上面側に温水パイプを埋設する溝を有する複数のパネル板と、
帯状の木質材からなる根太と、
良熱伝導材からなる放熱シートと、を備え、
上記根太を間において上記複数のパネル板を平面状に並べ、これら根太及び上記溝の内部を含むパネル板の上面のほぼ全面に上記放熱シートを貼り付けることにより、パネル板と根太の境目で折り重ね可能、且つ全体として一様な厚さに構成され、
上記放熱シートの根太上の部分に多数の孔が開いており、上記放熱シートの孔は小判型であり、根太の長手方向に一定のピッチで開いていることを特徴とする床暖房パネル。
【請求項２】
上記床暖房パネルの長さがほぼ１８２０ｍｍ、巾がほぼ９０９ｍｍであることを特徴とする請求項１記載の床暖房パネル。
【請求項３】
上記パネル板の厚さがほぼ２４ｍｍであることを特徴とする請求項１記載の床暖房パネル。
【請求項４】
上記温水パイプの溝が巾ほぼ１７．５ｍｍ、深さほぼ１７ｍｍであることを特徴とする請求項１〜３いずれか１項記載の床暖房パネル。
【請求項５】
請求項１記載の床暖房パネルの敷設方法であって、発泡樹脂からなり、上面側に温水パイプを埋設する溝を有する複数のパネル板と、該複数のパネル板間に配設された帯状の木質材からなる根太と、これら根太及び上記溝の内部を含むパネル板の上面のほぼ全面に貼り付けられた良熱伝導材から成り、根太の長手方向に多数の小判型の孔が一定のピッチで開いており、パネル板と根太の境目で折り重ね可能、且つ、全体として一様な厚さに構成された放熱シートと、を備えた床暖房パネルを平面状に並べた後、上記溝内に樹脂製の温水パイプを配管することを特徴とする床暖房パネルの敷設方法。
【発明の詳細な説明】
【０００１】
【発明の属する技術分野】
本発明は、床から室内を暖める床暖房に用いられる床暖房パネルに関する。また、この床暖房パネルの敷設方法に関する。特には、パネル板の軽量化を図り、梱包・運搬作業性を向上させることができるとともに、現場での施工作業性も向上させることができる床暖房パネル及びその敷設方法に関する。
【０００２】
【従来の技術】
床暖房は、床板（フローリング）や畳の下に敷いたパネル板中の放熱管に温水（一例６０℃）を流すことにより、室内を床から暖める方式の暖房である。一般の暖房では暖めにくい室内の底部を有効に暖めることができるので好評であり、近年の住宅向けに多く設置されつつある。さらに、比較的大規模な保育園や公民館、体育館にも温水式床暖房を設置する動きが強まっている。
【０００３】
図６は、従来の中・大規模の床暖房の構造を示す断面図である。
この図６に示す床構造１は、上側（床表面）から下側（建物の基礎）に、順に床材３、床暖房パネル４、下地合板５、不陸調整シート６、スラブ７が重なって構成されている。
床材３は、その室内の種類に応じて、フローリング、畳あるいはカーペット等からなる。下地合板５は合板である。不陸調整シート６は、不織布等の素材からなる。同シート６により、スラブ７表面の凹凸が吸収される。
【０００４】
典型的な中・大規模床暖房用のパネル４は、ゴム等からなるパネル板４ａを備えている。パネル板４ａには、複数の配管溝４ｂが掘り込まれている。この配管溝４ｂには放熱管２が敷設されている。この放熱管２内には、約６０℃の温水が流れる。放熱管２は架橋ポリエチレン等で作られており可撓性がある。パネル板４ａの所々には小根太８が介装されている。小根太８は合板製等の帯状の板であり、床暖房パネル４上に床材３を設置・固定するための釘打ち部材としての役割を果たす。従来の中・大規模床暖房では、同小根太８は通常パネル板４ａとは別体であり、施工時に作業者により釘打ちされる。
【０００５】
配管溝４ｂの内面・底面を含むパネル板４ａの上表面及び小根太８の上表面には、アルミ箔からなる放熱シート９が貼り付けられる。放熱シート９は、放熱管２内の温水から放出される熱を床暖房パネル４の上面に伝えて、床暖房パネル４から上方の室内へ向けて放熱するためのものである。
【０００６】
このような床構造は、建物の基礎（スラブ７）の上側に、不陸調整シート６を介して下地合板５を敷設し、これらをコンクリート打ち込みビス等により固定する。さらにこの上側に床暖房パネル４を敷設するとともに、小根太８を下地合板５に釘打ちして設置する。そして、この床暖房パネル４の上側に、放熱管２を這わせるように配管した後に放熱シート９を貼り付ける。最後に、床材３を一番上にのせ、小根太８にビスを打ち込んだり接着剤を用いることにより、床材３を小根太８に固定する。
【０００７】
【発明が解決しようとする課題】
ところで、上記床暖房パネル及びその敷設方法には、以下の課題があった。
（１）パネル板がゴム製のものでは、重量が大きかった。また、折り畳むことができないので、梱包・運搬作業が大変であった。
（２）小根太を施工者が現場で釘打ちしていた。このため、施工性が悪く、工期の長期化を引き起こしていた。
（３）放熱シート９を貼り付けた後、上側から小根太８の位置を確認できなかった。したがって、釘打ちの場所、ピッチが不明瞭であるため、施工性の低下につながっていた。
【０００８】
本発明は、このような課題に着目してなされたものであり、パネル板の軽量化を図り、梱包・運搬作業性を向上させることができるとともに、現場での施工作業性も向上させることができる床暖房パネル及びその敷設方法を提供することを目的とする。
【０００９】
【課題を解決するための手段】
上記課題を解決するため本発明は、建物の床に敷設した後に樹脂製の温水パイプを配管する、主に中・大規模の室用の床暖房パネルについて、発泡樹脂からなり、上面側に温水パイプを埋設する溝を有する複数のパネル板と、帯状の木質材からなる根太と、良熱伝導材からなる放熱シートと、を備え、上記根太を間において上記複数のパネル板を平面状に並べ、これら根太及び上記溝の内部を含むパネル板の上面のほぼ全面に上記放熱シートを貼り付けることにより、パネル板と根太の境目で折り重ね可能、且つ全体として一様な厚さに構成するとともに、上記放熱シートの根太上の部分に多数の孔が開いており、上記放熱シートの孔は小判型であり、根太の長手方向に一定のピッチで開いている構成としたことを特徴とする。パネル板が発泡樹脂からなるため軽量である。一方、パネル板に根太が最初から組み込まれているので、これらを一度で敷設することができる。したがって、施工性が向上する。
【００１０】
本発明の床暖房パネルは、上記パネル板と上記根太の境目で折り重ねることとすることができる。
折り重ねて小さくすることで、車両への積み込みが容易になり、運搬が効率的になる。
【００１１】
また、本発明の床暖房パネルにおいては、上記放熱シートの上記根太上の部分に多数の孔が開いており、パネルの上面から根太の位置を確認できることとすることができる。
これにより、根太の位置が明瞭になるので、釘打ち等を的確に行うことができる。
【００１２】
さらに、本発明の床暖房パネルにおいては、上記放熱シートの孔が小判形であり、根太の長手方向に一定のピッチで開いていることとすることができる。
孔が四角状のものに比べて、放熱シートの強度が大きくなる。また、孔を等間隔に形成することで、釘打ちのピッチが明確になる。
【００１３】
本発明の床暖房パネルにおいては、上記床暖房パネルの長さがほぼ１８２０ｍｍ、巾がほぼ９０９ｍｍであることが好ましい。また、上記パネル板の厚さがほぼ２４ｍｍであることが好ましい。さらに、上記温水パイプの溝が巾ほぼ１７．５ｍｍ、深さほぼ１７ｍｍであることが好ましい。
大型であるので、小型のものを複数枚敷設するのに比べて、施工効率が向上する。また、厚みがあるので強度も大きい。
【００１４】
本発明の床暖房パネルの敷設方法は、発泡樹脂からなり、上面側に温水パイプを埋設する溝を有する複数のパネル板と、該複数のパネル板間に配設された帯状の木質材からなる根太と、これら根太及びパネル板の上面に貼り付けられた良熱伝導材からなる放熱シートと、を備えた床暖房パネルを平面状に並べた後、上記溝内に樹脂製の温水パイプを配管することを特徴とする。
【００１５】
【発明の実施の形態】
以下、図面を参照しつつ説明する。
図１は本発明の１実施の形態に係る床暖房パネルを示す平面図である。図２は図１の側面断面図である。図３（ａ）は小型Ｕターンパネルの構成を示す平面図であり、図３（ｂ）は図３（ａ）の側面図である。図４（ａ）は大型Ｕターンパネルの構成を示す平面図であり、図４（ｂ）は図４（ａ）の側面図である。
【００１６】
図１及び２に示されているように、床暖房パネル１０は、発泡ポリスチレン等の発泡樹脂からなる複数のパネル板１２を備えている。パネル板１２には、複数の配管溝１５が等間隔おきに掘り込まれている。この配管溝１５には樹脂製の温水パイプが敷設される。複数のパネル板１２間には、所定間隔おきに小根太１４が埋め込まれている。小根太１４は合板製等の帯状の板であり、床暖房パネル１０上に床材を設置・固定するための釘打ち部材としての役割を果たす。
【００１７】
配管溝１５を含むパネル板１２の上表面及び小根太１４の上表面には、アルミ箔からなる放熱シート１６が貼り付けられている。放熱シート１６は、放熱管内の温水から放出される熱を床暖房パネル１０の上面に伝えて、床暖房パネル１０から上方の室内へ向けて放熱するためのものである。この放熱シート１６の小根太１４上の部分には、多数の長孔１７が形成されている。この長孔１７は小判形であり、小根太１４の長手方向に一定のピッチで開いている。同長孔１７により、パネルの上面から小根太１４の位置を確認できるようになっている。
長孔１７が小判形であることにより、孔が四角状のものに比べて、放熱シート１６の強度が大きくなっている。
【００１８】
このような床暖房パネル１０の具体的な数値例について述べる。
床暖房パネル１０の長さＡは１８２０ｍｍ、巾Ｂは９０９ｍｍである。各配管溝１５の溝巾及び溝深さａは１７．５ｍｍである。小根太１４の巾ｂは４５ｍｍであり、厚さｃは２４ｍｍである。隣り合う配管溝１５同士の溝中心間の長さｄは１５１．５ｍｍである。配管溝１５の溝中心と小根太１４端部間の長さｅは５３．２５ｍｍである。隣り合う小根太１４同士の端部間の長さｆは３０３ｍｍである。放熱シート１６の厚さは０．０５ｍｍである。
【００１９】
次に、図３及び図４を参照して、Ｕターンパネルについて説明する。
図３に示す小型Ｕターンパネル２０は、建物のコーナー部において設置される。同パネル２０は、発泡ポリスチレン等の発泡樹脂からなるパネル板２１を備えている。このパネル板２１の横長Ｃは３００ｍｍであり、縦長Ｄは４５０ｍｍである。このパネル板２１には、ほぼＵ字状に湾曲した配管溝２３が掘り込まれている。配管溝２３の溝巾及び溝深さは、上記床暖房パネル１０の配管溝１５と同様である。
【００２０】
一方、図４に示す大型Ｕターンパネル３０は、床暖房パネル１０の外側に敷設される。同パネル３０は、発泡ポリスチレン等の発泡樹脂からなる２枚のパネル板３１を備えている。２枚のパネル板３１間には、合板からなる小根太３４を有している。さらに、パネル板３１の左端側部にも小根太３４を有している。これらパネル板３１及び小根太３４の裏面には、１枚の不織布が貼り付けられている。このパネル板３１の横長Ｅは６９０ｍｍであり、縦長Ｆは４５０ｍｍである。小根太３４の幅Ｇは４５ｍｍである。同パネル板３１には、Ｕ字状に湾曲した第１配管溝３３が掘り込まれている。この第１配管溝３３の内側には、ほぼＵ字状に湾曲した第２配管溝３５が掘り込まれている。配管溝３３、３５の溝巾及び溝深さは、上記床暖房パネル１０の配管溝１５と同様である。
【００２１】
次に上記の構成からなる床暖房パネル１０、Ｕターンパネル２０、３０を建物の床に敷設する方法について説明する。
図５は上記各パネル１０、２０、３０が敷設された建物の床を示す平面図である。
【００２２】
まず、床暖房パネル１０を工場・倉庫等から施工現場（建物）へと運搬する。この際、床暖房パネル１０を、パネル板１２と小根太１４の境目で折り重ねて梱包する。これにより、床暖房パネル１０をコンパクトにできるので、車両への積み込みが容易になり、運搬が効率的になる。
【００２３】
施工現場へ運搬した後、梱包を解いて、建物の床に床暖房パネル１０を平面状に敷き並べる。このとき、床暖房パネル１０の敷設と同時に、小根太１４も設置される。したがって、施工現場において作業者が小根太を釘打ちする必要はない。さらに、この床暖房パネル１０は大型であるので、図５に示す左右の室でそれぞれ２０枚程度を敷き並べればよい。なお、床暖房パネル１０は、適当な長さに切って調整することができる。
次いで、床暖房パネル１０の外側には、大型Ｕターンパネル３０を並べて敷設する。さらに、建物のコーナー部には、小型Ｕターンパネル２０を敷設する。
【００２４】
このようにして、床暖房パネル１０、Ｕターンパネル２０、３０を並べ終えたときには、各パネルの配管溝が繋がった状態となる。この後、放熱シート１６の長孔１７から小根太１４に釘打ちを行い、床暖房パネル１０を固定する。長孔１７により、小根太１４の位置が明瞭であるため、釘打ち作業を的確に且つ効率的に行うことができる。釘打ちが終了した後、配管溝内に樹脂製の温水パイプを配管する。図５においては、符号４１が温水の入口となり、符号４２が出口となる。なお、図５の例では温水の循環系統は２系統である。
【００２５】
【発明の効果】
以上の説明から明らかなように、本発明によれば、以下の効果がある。
（１）パネル板が発泡樹脂からなるため軽量である。
（２）パネル板に根太が最初から組み込まれているので、これらを一度に敷設することができる。したがって、施工性が向上する。
（３）折り重ねて小さくすることができるので、車両への積み込みが容易になり、運搬が効率的になる。
（４）放熱シートに多数の孔を形成した場合には、根太の位置が明瞭になる。したがって、釘打ち等を的確に行うことができる。
（５）放熱シートの孔を小判形にした場合には、孔が四角状のものに比べて、放熱シートの強度が大きくなる。また、孔を等間隔に形成することで、釘打ちのピッチが明確になる。
【図面の簡単な説明】
【図１】本発明の１実施の形態に係る床暖房パネルを示す平面図である。
【図２】図１の側面図である。
【図３】図３（ａ）は小型Ｕターンパネルの構成を示す平面図であり、図３（ｂ）は図３（ａ）の側面図である。
【図４】図４（ａ）は大型Ｕターンパネルの構成を示す平面図であり、図４（ｂ）は図４（ａ）の側面図である。
【図５】各パネルが敷設された建物の床を示す平面図である。
【図６】従来の典型的な床暖房の構造を示す断面図である。
【符号の説明】
１０  床暖房パネル                    １２  パネル板
１４  小根太                          １５  配管溝
１６  放熱シート                      １７  長孔
【図１】
0004115614.tif 000002
【図２】
0004115614.tif 000003
【図３】
0004115614.tif 000004
【図４】
0004115614.tif 000005
【図５】
0004115614.tif 000006
【図６】
0004115614.tif 000007